(57)【要約】【課題】埋込配管の設置作業を簡略化して迅速な施工を可能にし、埋込配管の設置を高能率で行えるようにする。【解決手段】型枠２に埋込配管３を予め配置しコンクリートの打設・硬化後に型枠２を除去するようにしている埋込配管の設置工法であって、埋込配管３の先端にソケット継手８を取付けると共に、ソケット継手８を包囲して先端側が開口した空間１０を形成する継手保護具１１を取付け、型枠２のコンクリート打設面に継手保護具１１の先端開口部１２が接するように埋込配管３を配置した後、埋込配管３及び継手保護具１１の外部にコンクリートを打設し、コンクリートの硬化後に型枠２を除去し、継手保護具１１に形成された空間１０によりソケット継手８に接続配管を取付ける。【選択図】        図１
2004346500.tif 000002
【特許請求の範囲】
【請求項１】
型枠に埋込配管を予め配置しコンクリートの打設・硬化後に型枠を除去するようにしている埋込配管の設置工法であって、埋込配管の先端にソケット継手を取付けると共に、該ソケット継手を包囲して先端側が開口した空間を形成する継手保護具を取付け、型枠のコンクリート打設面に前記継手保護具の先端開口部が接するように前記埋込配管を配置した後、該埋込配管及び継手保護具の外部にコンクリートを打設し、コンクリートの硬化後に型枠を除去し、前記継手保護具に形成された空間により前記ソケット継手に接続配管を取付けることを特徴とする埋込配管の設置工法。
【請求項２】
デッキプレートに埋込配管を予め配置しコンクリートの打設・硬化によりデッキプレートをコンクリートと一体の構造部材として用いるようにしている埋込配管の設置工法であって、デッキプレートの前記埋込配管の設置位置に予め取付開口を形成しておき、埋込配管の先端にソケット継手を取付けると共に、該ソケット継手を包囲して先端側が開口した空間を形成する継手保護具を取付け、該継手保護具の先端開口部によりデッキプレートの取付開口を塞ぐように前記埋込配管を配置した後、該埋込配管及び継手保護具の外部にコンクリートを打設し、コンクリートの硬化後に前記継手保護具に形成された空間によりソケット継手に接続配管を取付けることを特徴とする埋込配管の設置工法。
【請求項３】
前記ソケット継手への接続配管の取付け後に継手保護具の空間を充填材にて埋めることを特徴とする請求項１または２に記載の埋込配管の設置工法。
【請求項４】
前記埋込配管がコンクリート床に対して上下方向に設置されることを特徴とする請求項１〜３のいずれか１つに記載の埋込配管の設置工法。
【発明の詳細な説明】
【０００１】
【発明の属する技術分野】
本発明は、コンクリート建造物における埋込配管の設置工法、特に作業床、天井床等を上下方向に貫通して配置される埋込配管の設置作業を簡略化して迅速な施工を可能にし、埋込配管の設置を高能率で行えるようにした埋込配管の設置工法に関するものである。
【０００２】
【従来の技術】
例えば原子炉におけるコンクリート建屋、或いはその他のコンクリート建造物においては、建造物内部の装置機器と建造物外部の装置機器との間を接続する種々の多数の配管を埋設している場合がある。
【０００３】
図１１〜図１３は、コンクリート建造物の作業床、天井床等のコンクリート床に、比較的小径の埋込配管を貫通して配置する場合の従来工法の一例を示したものである。
【０００４】
即ち、図１１に示すように、先ず所定の間隔で受梁１を配設し、該受梁１上に木製合板等の型枠２を設置する。続いて、埋込配管３を配置する位置に合わせて型枠２に貫通孔４を開口させる。そして、前記埋込配管３の下端を矢印方向から型枠２の貫通孔４に差込み、図１２に示すように型枠２の貫通孔４を貫通させた後、前記型枠２上に鉄筋５を配設し、その後型枠２上にコンクリート６を打設する。コンクリート６が硬化した後、受梁１及び型枠２を除去すると、図１３に示すように埋込配管３が埋込配置されたコンクリート床７が形成される。その後、図１３に示すように前記埋込配管３の下端に連通口８ａを有するソケット継手８の一端を溶接Ｍにより取付け、更に該ソケット継手８の他端に接続配管９を溶接Ｍにて取付ける。
【０００５】
しかし、上記図１１〜図１３に示した従来の埋込配管の設置工法では、埋込配管３を配置する位置に合わせて型枠２に貫通孔４を形成する作業を現場で行っているために、現場作業が多く、多数の埋込配管３を設置する場合には作業能率が著しく低下する問題がある。更に、前記貫通孔４を形成する位置と受梁１の位置とが重なることがしばしば生じており、この場合には前記受梁１の位置を移動させる作業が必要となり、作業能率が更に低下する問題がある。
【０００６】
また、埋込配管３の下端にソケット継手８を取付ける作業は、受梁１と型枠２とを除去した後でなければ実施できないために、現場作業が更に増加することになる。また、形成されたコンクリート床７の下面には、図１１、図１２に示すように埋込配管３の先端が突出することになり、このために作業器材との衝突によって埋込配管３が曲げられる等の問題を生じる可能性がある。また、前記埋込配管３の突出長さを短くした場合には、ソケット継手８を取付ける溶接作業が難しくなる問題があると共に、溶接熱によってコンクリート床７に熱影響による劣化を生じさせる問題がある。
【０００７】
一方、コンクリート壁に、配管を貫通させて配置するためのスリーブを埋込配置するようにしたものがある（例えば、特許文献１、特許文献２等参照）。
【０００８】
【特許文献１】
特公平０７−１１６８３７号公報
【特許文献２】
実開平０４−１２０３９４号公報
【０００９】
【発明が解決しようとする課題】
しかし、前記特許文献１、２に示すようにスリーブを用いる方法は比較的大径の配管を配置する場合に用いられており、スリーブは配管を包囲でき且つコンクリート壁の厚さをカバーできる長さの大型で複雑な構造を有しており、従ってこうしたスリーブを、小径で多数配置される埋込配管の夫々に適用することは現場作業の作業工数を更に増加させ、よって作業コストを増加させる問題を生じることになる。
【００１０】
本発明は、上記従来の問題点を解決するためになしたもので、埋込配管の設置作業を簡略化して迅速な施工を可能にし、埋込配管の設置を高能率で行えるようにした埋込配管の設置工法を提供することにある。
【００１１】
【課題を解決するための手段】
請求項１に記載の発明は、型枠に埋込配管を予め配置しコンクリートの打設・硬化後に型枠を除去するようにしている埋込配管の設置工法であって、埋込配管の先端にソケット継手を取付けると共に、該ソケット継手を包囲して先端側が開口した空間を形成する継手保護具を取付け、型枠のコンクリート打設面に前記継手保護具の先端開口部が接するように前記埋込配管を配置した後、該埋込配管及び継手保護具の外部にコンクリートを打設し、コンクリートの硬化後に型枠を除去し、前記継手保護具に形成された空間により前記ソケット継手に接続配管を取付けることを特徴とする埋込配管の設置工法、に係るものである。
【００１２】
請求項２に記載の発明は、デッキプレートに埋込配管を予め配置しコンクリートの打設・硬化によりデッキプレートをコンクリートと一体の構造部材として用いるようにしている埋込配管の設置工法であって、デッキプレートの前記埋込配管の設置位置に予め取付開口を形成しておき、埋込配管の先端にソケット継手を取付けると共に、該ソケット継手を包囲して先端側が開口した空間を形成する継手保護具を取付け、該継手保護具の先端開口部によりデッキプレートの取付開口を塞ぐように前記埋込配管を配置した後、該埋込配管及び継手保護具の外部にコンクリートを打設し、コンクリートの硬化後に前記継手保護具に形成された空間によりソケット継手に接続配管を取付けることを特徴とする埋込配管の設置工法、に係るものである。
【００１３】
請求項３に記載の発明は、前記ソケット継手への接続配管の取付け後に継手保護具の空間を充填材にて埋めることを特徴とする請求項１または２に記載の埋込配管の設置工法、に係るものである。
【００１４】
請求項４に記載の発明は、前記埋込配管がコンクリート床に対して上下方向に設置されることを特徴とする請求項１〜３のいずれか１つに記載の埋込配管の設置工法、に係るものである。
【００１５】
本発明によれば、以下のように作用する。
【００１６】
埋込配管の先端にソケット継手を取付けると共に、該ソケット継手を包囲して先端側が開口した空間を形成する継手保護具を取付け、型枠のコンクリート打設面に前記継手保護具の先端開口部が接するように、または前記継手保護具の先端開口部がデッキプレートに予め形成した取付開口を覆うように前記埋込配管を配置した後、埋込配管及び継手保護具の外部にコンクリートを打設し、コンクリートの硬化後に型枠を除去した後、またはコンクリートにデッキプレートが一体化されたままの状態で、前記継手保護具に形成された空間により前記ソケット継手に接続配管を取付けるようにしたので、従来現場で行っている型枠への貫通孔の形成作業及びソケット継手の取付け作業を省略して、現場での作業工数を大幅に削減することができ、よって埋込配管の設置作業を高能率に行って作業コストを大幅に低減できる。
【００１７】
更に、ソケット継手は継手保護具による空間の内部に配置されているので従来のようにコンクリート床から埋込配管の先端が突出することがなくなり、よって作業器材との衝突によって埋込配管が曲げられる等の問題を防止でき、更に、空間によってコンクリートから離れた位置でソケット継手に接続配管を取付けられるので、溶接熱によってコンクリート床に劣化が生じる問題が防止できる。
【００１８】
【発明の実施の形態】
以下、本発明の好適な実施の形態を図面に基づいて説明する。
【００１９】
図１〜図６は本発明の埋込配管の設置工法の形態の一例を示すもので、型枠に埋込配管を配置しコンクリートの打設・硬化後に型枠を除去する場合を表わす。尚、図中図１１〜図１３に示した構成と同一のものには同じ符号を付して詳細な説明は省略する。
【００２０】
図１、図２に示す如く、埋込配管３の先端（下端）に、ソケット継手８の一端を溶接Ｍにより取付ける。更に、前記ソケット継手８の外周を包囲して先端側が開口した環状の空間１０を形成する継手保護具１１を取付ける。この継手保護具１１は、図１に示すようにソケット継手８に固定してもよく、或いは前記埋込配管３に固定するようにしてもよい。このとき、前記継手保護具１１は、その先端開口部１２がソケット継手８の先端と同一の面内にあるか、或いはソケット継手８の先端より更に突出している。
【００２１】
次に、上記形態により埋込配管をコンクリート床に設置する工法について説明する。
【００２２】
図３に示す如く、所定の間隔で配置した受梁１上に型枠２を設置し、この型枠２のコンクリート打設面（上面）における埋込配管３の配置位置に、前記埋込配管３に取付けた前記継手保護具１１の先端開口部１２を押付けるようにして埋込配管３を配置する。このとき埋込配管３の継手保護具１１は型枠２に固定しても或いは固定しなくてもよい。
【００２３】
続いて、図４に示す如く型枠２上に鉄筋５を配設した後型枠２上にコンクリート６を打設し硬化させる。このとき、前記継手保護具１１の先端開口部１２と型枠２上面との間に若干の隙間が存在してもコンクリート６が空間１０に流出することは殆どなく、また若干の流出があっても問題にはならない。
【００２４】
コンクリート６が硬化した後、受梁１及び型枠２を除去すると、図５に示す如く前記ソケット継手８を取り囲む環状の空間１０が形成されたコンクリート床７が形成される。
【００２５】
続いて、前記空間１０において前記ソケット継手８の他端に接続配管９を溶接Ｍにて取付ける。このとき、ソケット継手８の他端に対する接続配管９の溶接Ｍは空間１０によってコンクリート６から離されているので溶接熱によってコンクリート床７に熱影響による劣化等の問題が生じることはない。
【００２６】
その後、必要に応じて図６に示すごとく、前記継手保護具１１の空間１０にグラウト等の充填材１３を充填することによりコンクリート床７の下面を平坦に仕上げる。すると前記ソケット継手８は外部からは全く見えない状態になる。
【００２７】
図７、図８は本発明の埋込配管の設置工法の形態の他の例を示すもので、デッキプレート上に埋込配管を配置しコンクリートの打設・硬化によりデッキプレートをコンクリートと一体の構造部材として用いる場合を表わす。
【００２８】
図７に示すように、埋込配管３の先端（下端）に、図１、図２と同様にソケット継手８の一端を溶接Ｍにより取付ける。更に、前記ソケット継手８の外周を包囲して先端側が開口した環状の空間１０を形成する継手保護具１１を取付ける。
【００２９】
一方、型枠を兼ねるように設けられるデッキプレート１４における前記埋込配管３を設置する位置に予め取付開口１５を形成しておく。このとき、図７では前記取付開口１５は継手保護具１１の径より僅かに小さい円形に形成されており、前記継手保護具１１の先端開口部１２を、前記取付開口１５を取り囲むようにデッキプレート１４上に配置するようにしている。図７中１６は前記デッキプレート１４の上面に設けてコンクリート６と一体化するためのウェブ材である。
【００３０】
次に、前記デッキプレート１４に取付開口１５を形成し、埋込配管３にソケット継手８と継手保護具１１とを取付けた場合における埋込配管の設置工法について図７、図８を参照して説明する。
【００３１】
図７に示す如く、ソケット継手８と継手保護具１１が予め取付けられた埋込配管３をデッキプレート１４上に配置する。このとき、前記継手保護具１１の先端開口部１２が、デッキプレート１４に予め形成してある取付開口１５を取り囲むようにデッキプレート１４上に配置されるようにする。このとき、埋込配管３の継手保護具１１はデッキプレート１４上に固定しても或いは固定しなくてもよい。
【００３２】
続いて、図８に示す如くデッキプレート１４上に鉄筋５を配設した後デッキプレート１４上にコンクリート６を打設し硬化させる。このとき、前記継手保護具１１の先端開口部１２とデッキプレート１４の上面との間に若干の隙間が存在してもコンクリート６が空間１０に流出することは殆どなく、また若干の流出があっても問題にはならない。
【００３３】
コンクリート６が硬化することにより、コンクリート６とデッキプレート１４とが一体化し、且つ取付開口１５にソケット継手８を取り囲む空間１０が形成されたコンクリート床１７が形成される。
【００３４】
次に、前記空間１０において前記ソケット継手８の他端に接続配管９を溶接Ｍにより取付ける。このとき、ソケット継手８の他端に対する接続配管９の溶接Ｍは空間１０によってコンクリート６から離されているので溶接熱によってコンクリート床１７に熱影響による劣化等の問題が生じることはない。
【００３５】
その後、必要に応じて図６に示すしたように、前記継手保護具１１の空間１０にグラウト等の充填材を充填することによりコンクリート床１７の下面を平坦に仕上げるようにしてもよい。
【００３６】
図９は、図７の他の形態を示したもので、前記継手保護具１１の下端がデッキプレート１４に形成された取付開口１５に嵌合するようにしており、且つ継手保護具１１の外周には、継手保護具１１が取付開口１５に嵌合する嵌合長さを規制するストッパ１８を備えている。この形態では、継手保護具１１をデッキプレート１４の取付開口１５に嵌合するので、埋込配管３を設置する位置を正確に規定することができる。
【００３７】
図１０は、図９の他の形態を示したもので、デッキプレート１４の取付開口１５に嵌合する継手保護具１１の下端に、ソケット継手８の下部を包囲するようにした蓋部材１９をねじ２０等によって下方からの操作で開閉できるように備えた場合を示している。この形態では、前記ソケット継手８を包囲する空間１０を蓋部材１９によって閉塞できるので、前記ソケット継手８が雨水等によって錆びる問題等を防止できる。
【００３８】
上記した各工法によれば、埋込配管３の先端にソケット継手８を取付けると共に、該ソケット継手８を包囲して先端側が開口した空間１０を形成する継手保護具１１を取付け、図１に示すように型枠２のコンクリート打設面に前記継手保護具１１の先端開口部１２が接するように、または図７に示すように前記継手保護具の先端開口部１２がデッキプレート１４に予め形成した取付開口１５を覆うように前記埋込配管３を配置した後、埋込配管３及び継手保護具１１の外部にコンクリート６を打設し、コンクリート６の硬化後に型枠２を除去した後、またはコンクリート６にデッキプレート１４が一体化されたままの状態で、前記継手保護具１１に形成された空間１０により前記ソケット継手８に接続配管９を取付けるようにしたので、従来現場で行っている型枠への貫通孔の形成作業及びソケット継手の取付け作業を省略して、現場での作業工数を大幅に削減することができ、よって埋込配管３の設置作業を高能率に行って作業コストを大幅に低減できる。
【００３９】
更に、ソケット継手８は継手保護具１１による空間１０の内部に配置されているので、従来のようにコンクリート床から埋込配管の先端が突出することがなくなり、よって作業器材との衝突によって埋込配管が曲げられる等の問題を防止でき、更に、空間１０によってコンクリート６から離れた位置でソケット継手８に接続配管９を取付けられるので、溶接熱によってコンクリート床７，１７に劣化が生じる問題が防止できる。
【００４０】
尚、本発明は上記形態例にのみ限定されるものではなく、本発明の要旨を逸脱しない範囲内において種々変更を加え得ることは勿論である。
【００４１】
【発明の効果】
本発明によれば、埋込配管の先端にソケット継手を取付けると共に、該ソケット継手を包囲して先端側が開口した空間を形成する継手保護具を取付け、型枠のコンクリート打設面に前記継手保護具の先端開口部が接するように、または前記継手保護具の先端開口部がデッキプレートに予め形成した取付開口を覆うように前記埋込配管を配置した後、埋込配管及び継手保護具の外部にコンクリートを打設し、コンクリートの硬化後に型枠を除去した後、またはコンクリートにデッキプレートが一体化されたままの状態で、前記継手保護具に形成された空間により前記ソケット継手に接続配管を取付けるようにしたので、従来現場で行っている型枠への貫通孔の形成作業及びソケット継手の取付け作業を省略して、現場での作業工数を大幅に削減することができ、よって埋込配管の設置作業を高能率に行って作業コストを大幅に低減できる効果がある。
【００４２】
更に、ソケット継手は継手保護具による空間の内部に配置されているので従来のようにコンクリート床から埋込配管の先端が突出することがなくなり、よって作業器材との衝突によって埋込配管が曲げられる等の問題を防止でき、更に、空間によってコンクリートから離れた位置でソケット継手に接続配管を取付けられるので、溶接熱によってコンクリート床に劣化が生じる問題が防止できる効果がある。
【図面の簡単な説明】
【図１】本発明の埋込配管の設置工法の形態の一例を示す切断側面図である。
【図２】図１のＩＩ−ＩＩ方向矢視図である。
【図３】型枠上に埋込配管に取付けた継手保護具を配置した状態を示す切断側面図である。
【図４】図３の型枠上にコンクリートを打設した状態を示す切断側面図である。
【図５】図４の型枠を除去したコンクリート床の切断側面図である。
【図６】図５のソケット継手に接続配管を取付けた状態を示す切断側面図である。
【図７】本発明の埋込配管の設置工法の他の形態例を示す切断側面図である。
【図８】デッキプレート上に埋込配管に取付けた継手保護具を配置し、デッキプレート上にコンクリートを打設した状態を示す切断側面図である。
【図９】図７の他の形態を示す切断側面図である。
【図１０】図９の他の形態を示す切断側面図である。
【図１１】従来の埋込配管の設置工法の一例を示すもので、型枠に貫通孔を形成する状態を示す切断側面図である。
【図１２】図１１の貫通孔に埋込配管を差込んで型枠上にコンクリートを打設した状態を示す切断側面図である。
【図１３】図１２の型枠を除去し埋込配管にソケット継手と接続配管を取付ける状態を示す切断側面図である。
【符号の説明】
２    型枠
３    埋込配管
５    鉄筋
６    コンクリート
７    コンクリート床
８    ソケット継手
９    接続配管
１０    空間
１１    継手保護具
１２    先端開口部
１３    充填材
１４    デッキプレート
１５    取付開口
１７    コンクリート床
【図１】
2004346500.tif 000003
【図２】
2004346500.tif 000004
【図３】
2004346500.tif 000005
【図４】
2004346500.tif 000006
【図５】
2004346500.tif 000007
【図６】
2004346500.tif 000008
【図７】
2004346500.tif 000009
【図８】
2004346500.tif 000010
【図９】
2004346500.tif 000011
【図１０】
2004346500.tif 000012
【図１１】
2004346500.tif 000013
【図１２】
2004346500.tif 000014
【図１３】
2004346500.tif 000015